(57)【要約】【課題】記録媒体が吸湿した場合であっても、画像形成の結果の不具合を抑制し高品質の画像を得ることのできる画像形成装置を提供する。【解決手段】画像形成装置は、画像形成処理を実施する画像形成手段と、媒体が積載される記録媒体収容手段と、記録媒体収容手段から搬送される記録媒体を収納する排除記録媒体収納手段と、画像形成手段に対し記録媒体収容手段に積載されている記録媒体を供給する場合に、当該記録媒体を供給するタイミングに応じて、記録媒体収容手段に積載されている少なくとも最上位の記録媒体を排除すべき記録媒体として排除記録媒体収納手段に向けて搬送する記録媒体搬送機能手段と、を備える。【選択図】図１
2009223160.tif 000002
【特許請求の範囲】
【請求項１】
記録媒体が積載される記録媒体収容手段と、
前記記録媒体収容手段から搬送される記録媒体を収納する排除記録媒体収納手段と、
画像形成処理を実施する画像形成装置本体に対し前記記録媒体収容手段に積載されている記録媒体を供給する場合に、当該記録媒体を供給するタイミングに応じて、前記記録媒体収容手段に積載されている少なくとも最上位の記録媒体を排除すべき記録媒体として前記排除記録媒体収納手段に向けて搬送する記録媒体搬送機能手段と、
を有することを特徴とする記録媒体供給装置。
【請求項２】
前記記録媒体搬送機能手段は、
前記画像形成装置本体による画像形成処理が実施されていない状態が所定の時間に達し、該所定の時間を経過した後に当該画像形成処理が実施されるときは、前記記録媒体収容手段に積載されている少なくとも最上位の記録媒体を排除すべき記録媒体として前記排除記録媒体収納手段に向けて搬送する、
ことを特徴とする請求項１に記載の記録媒体供給装置。
【請求項３】
前記記録媒体搬送機能手段は、
前記記録媒体収容手段の周囲の温度および湿度の２つの環境特性の少なくとも一方の環境特性を示す環境特性情報、および前記画像形成装置本体による画像形成処理が継続して実施されていなかった時間を示す時間情報の少なくとも一方の情報に基づき決定される排除すべき記録媒体の数に応じて、前記記録媒体収容手段に積載されている記録媒体の中の最上位の記録媒体から順に前記排除記録媒体収納手段に向けて搬送する、
ことを特徴とする請求項１に記載の記録媒体供給装置。
【請求項４】
前記記録媒体搬送機能手段は、
前記排除すべき記録媒体を前記排除記録媒体収納手段に向けて搬送する機構の一部と、前記記録媒体収容手段に積載されている記録媒体を前記画像形成装置本体に向けて供給する機構の一部とが共通である、
ことを特徴とする請求項１〜３のいずれか一項に記載の記録媒体供給装置。
【請求項５】
前記排除記録媒体収納手段に収納されている記録媒体に含まれている水分を除去する除湿機構および吸湿機構の少なくとも一方の機構、
を更に備えたことを特徴とする請求項１〜４のいずれか一項に記載の記録媒体供給装置。
【請求項６】
画像形成処理を実施する画像形成手段と、
記録媒体が積載される記録媒体収容手段と、
前記記録媒体収容手段から搬送される記録媒体を収納する排除記録媒体収納手段と、
前記画像形成手段に対し前記記録媒体収容手段に積載されている記録媒体を供給する場合に、当該記録媒体を供給するタイミングに応じて、前記記録媒体収容手段に積載されている少なくとも最上位の記録媒体を排除すべき記録媒体として前記排除記録媒体収納手段に向けて搬送する記録媒体搬送機能手段と、
を有することを特徴とする画像形成装置。
【請求項７】
前記画像形成手段の画像形成処理を実施していない状態から当該画像形成処理を再開するまでの時間を計時する計時手段、を更に備え、
前記記録媒体搬送機能手段は、
前記画像形成手段が画像形成処理を再開する場合に、前記計時手段による計時の結果が予め設定される所定の時間を超えているときは、前記記録媒体収容手段に積載されている少なくとも最上位の記録媒体を排除すべき記録媒体として前記排除記録媒体収納手段に向けて搬送する、
ことを特徴とする請求項６に記載の画像形成装置。
【請求項８】
前記記録媒体収容手段の周囲の温度および湿度の２つの環境特性の少なくとも一方の環環境特性を検出する検出手段と、
前記検出手段が検出した環境特性値を基に排除すべき記録媒体の数を算出する算出手段と、
を更に備え、
前記記録媒体搬送機能手段は、
前記算出手段が算出した結果を基に、排除すべき記録媒体として前記記録媒体収容手段に積載されている記録媒体の中の最上位の記録媒体から順に前記排除記録媒体収納手段に向けて搬送する、
ことを特徴とする請求項６に記載の画像形成装置。
【請求項９】
前記画像形成手段の画像形成処理を実施していない状態から当該画像形成処理を再開するまでの時間を計時する計時手段と、
前記記録媒体収容手段の周囲の温度および湿度の２つの環境特性の少なくとも一方の環環境特性を検出する検出手段と、
前記計時手段が計時した結果および前記検出手段が検出した環境特性値の少なくとも一方の情報を基に排除すべき記録媒体の数を算出する算出手段と、
を更に備え、
前記記録媒体搬送機能手段は、
前記算出手段が算出した結果を基に、排除すべき記録媒体として前記記録媒体収容手段に積載されている記録媒体の中の最上位の記録媒体から順に前記排除記録媒体収納手段に向けて搬送する、
ことを特徴とする請求項６に記載の画像形成装置。
【請求項１０】
前記排除すべき記録媒体の数を設定する設定手段、を更に備え、
前記記録媒体搬送機能手段は、
前記設定手段によって設定された設定情報を基に、排除すべき記録媒体として前記記録媒体収容手段に積載されている記録媒体の中の最上位の記録媒体から順に前記排除記録媒体収納手段に向けて搬送する、
ことを特徴とする請求項６に記載の画像形成装置。
【請求項１１】
前記記録媒体搬送機能部は、
前記排除すべき記録媒体を前記排除記録媒体収納手段に向けて搬送する機構の一部と、前記記録媒体収容手段に積載されている記録媒体を前記画像形成手段に向けて供給する機構の一部とが共通である、
ことを特徴とする請求項６〜１０のいずれか一項に記載の画像形成装置。
【請求項１２】
前記排除記録媒体収納手段に収納されている記録媒体に含まれている水分を除去する除湿機構および吸湿機構の少なくとも一方の機構、
を更に備えたことを特徴とする請求項６〜１１のいずれか一項に記載の画像形成装置。
【発明の詳細な説明】
【技術分野】
【０００１】
本発明は、記録媒体供給装置および画像形成装置に関する。
【背景技術】
【０００２】
従来の画像形成装置には、電子写真プロセスにより画像形成処理を実施する画像形成部と、カット紙（Ａ４サイズなど規定のサイズの用紙）を積載した状態で収容する用紙供給部（給紙カセット）とを備えるものがある。
【０００３】
このような画像形成装置では、用紙供給部が画像形成処理にかかわる用紙供給命令に従って画像形成部へ用紙を供給すると、画像形成部は供給された用紙に画像形成を施し、画像が形成された用紙（印刷物）を出力する。
【０００４】
ところで、用紙供給部にカット紙が収容された状態で画像形成装置の画像形成部による画像形成処理が実施されていない状態が長期間に亘っている場合、あるいは用紙供給部にカット紙が収容された状態で画像形成装置の電源のオフ状態が長期間に亘っている場合など、用紙供給部に長期間収容されている用紙、特に最上位または最上位を含む上位の用紙は吸湿することがある。
【０００５】
このような状態の画像形成装置において画像形成処理が実施されたときは、用紙供給部から画像形成部に対し吸湿した用紙が供給されることになる。そのため、その用紙に含まれる水分を通じて、トナー像を用紙に転写するための電荷が流出してしまうので、画像転写不良が発生し易くなる。
【０００６】
そこで、用紙が吸湿したことに起因する画像転写不良を抑制するための対策を講じた各種の画像形成装置が提案されている（例えば特許文献１から特許文献５参照。）。
【０００７】
また、用紙の反りに起因する画像転写不良を抑制するための対策を講じた画像形成装置も提案されている（例えば特許文献６参照。）。
【特許文献１】特開平０５−２０４２０３号公報      用紙の吸湿
【特許文献２】特開２００４−３６１５１３号公報    用紙の吸湿
【特許文献３】特開平０６−１５６７７８号公報      用紙の吸湿
【特許文献４】特開平０６−３２４５４４号公報      用紙の吸湿
【特許文献５】特開２００６−２８２２９２号公報    用紙の吸湿
【特許文献６】特開平０９−０６８８３１号公報      用紙の反り
【発明の開示】
【発明が解決しようとする課題】
【０００８】
本発明は、記録媒体が吸湿した場合であっても、画像形成の結果の不具合を抑制し高品質の画像を得ることのできる画像形成装置を提供することを目的とする。
【０００９】
また、本発明は、吸湿した記録媒体を排除し、画像形成の結果に不具合を与えない記録媒体を画像形成装置本体に向けて供給することのできる記録媒体供給装置を提供することを目的とする。
【課題を解決するための手段】
【００１０】
上記課題を解決するため、請求項１に記載の本発明の記録媒体供給装置は、記録媒体が積載される記録媒体収容手段と、前記記録媒体収容手段から搬送される記録媒体を収納する排除記録媒体収納手段と、画像形成処理を実施する画像形成装置本体に対し前記記録媒体収容手段に積載されている記録媒体を供給する場合に、当該記録媒体を供給するタイミングに応じて、前記記録媒体収容手段に積載されている少なくとも最上位の記録媒体を排除すべき記録媒体として前記排除記録媒体収納手段に向けて搬送する記録媒体搬送機能手段と、を有することを特徴とする。
【００１１】
請求項２に記載の発明は、上記請求項１に記載の発明において、前記記録媒体搬送機能手段は、前記画像形成装置本体による画像形成処理が実施されていない状態が所定の時間に達し、該所定の時間を経過した後に当該画像形成処理が実施されるときは、前記記録媒体収容手段に積載されている少なくとも最上位の記録媒体を排除すべき記録媒体として前記排除記録媒体収納手段に向けて搬送する、ことを特徴とする。
【００１２】
請求項３に記載の発明は、上記請求項１に記載の発明において、前記記録媒体搬送機能手段は、前記記録媒体収容手段の周囲の温度および湿度の２つの環境特性の少なくとも一方の環境特性を示す環境特性情報、および前記画像形成装置本体による画像形成処理が継続して実施されていなかった時間を示す時間情報の少なくとも一方の情報に基づき決定される排除すべき記録媒体の数に応じて、前記記録媒体収容手段に積載されている記録媒体の中の最上位の記録媒体から順に前記排除記録媒体収納手段に向けて搬送する、ことを特徴とする。
【００１３】
請求項４に記載の発明は、上記請求項１〜３のいずれか一項に記載の発明において、前記記録媒体搬送機能手段は、前記排除すべき記録媒体を前記排除記録媒体収納手段に向けて搬送する機構の一部と、前記記録媒体収容手段に積載されている記録媒体を前記画像形成装置本体に向けて供給する機構の一部とが共通である、ことを特徴とする。
【００１４】
請求項５に記載の発明は、上記請求項１〜４のいずれか一項に記載の発明において、前記排除記録媒体収納手段に収納されている記録媒体に含まれている水分を除去する除湿機構および吸湿機構の少なくとも一方の機構、を更に備えたことを特徴とする。
【００１５】
上記課題を解決するため、請求項６に記載の本発明の画像形成装置は、画像形成処理を実施する画像形成手段と、記録媒体が積載される記録媒体収容手段と、前記記録媒体収容手段から搬送される記録媒体を収納する排除記録媒体収納手段と、前記画像形成手段に対し前記記録媒体収容手段に積載されている記録媒体を供給する場合に、当該記録媒体を供給するタイミングに応じて、前記記録媒体収容手段に積載されている少なくとも最上位の記録媒体を排除すべき記録媒体として前記排除記録媒体収納手段に向けて搬送する記録媒体搬送機能手段と、を有することを特徴とする。
【００１６】
請求項７に記載の発明は、上記請求項６に記載の発明において、前記画像形成手段の画像形成処理を実施していない状態から当該画像形成処理を再開するまでの時間を計時する計時手段、を更に備え、前記記録媒体搬送機能手段は、前記画像形成手段が画像形成処理を再開する場合に、前記計時手段による計時の結果が予め設定される所定の時間を超えているときは、前記記録媒体収容手段に積載されている少なくとも最上位の記録媒体を排除すべき記録媒体として前記排除記録媒体収納手段に向けて搬送する、ことを特徴とする。
【００１７】
請求項８に記載の発明は、上記請求項６に記載の発明において、前記記録媒体収容手段の周囲の温度および湿度の２つの環境特性の少なくとも一方の環環境特性を検出する検出手段と、前記検出手段が検出した環境特性値を基に排除すべき記録媒体の数を算出する算出手段と、を更に備え、前記記録媒体搬送機能手段は、前記算出手段が算出した結果を基に、排除すべき記録媒体として前記記録媒体収容手段に積載されている記録媒体の中の最上位の記録媒体から順に前記排除記録媒体収納手段に向けて搬送する、ことを特徴とする。
【００１８】
請求項９に記載の発明は、上記請求項６に記載の発明において、前記画像形成手段の画像形成処理を実施していない状態から当該画像形成処理を再開するまでの時間を計時する計時手段と、前記記録媒体収容手段の周囲の温度および湿度の２つの環境特性の少なくとも一方の環環境特性を検出する検出手段と、前記計時手段が計時した結果および前記検出手段が検出した環境特性値の少なくとも一方の情報を基に排除すべき記録媒体の数を算出する算出手段と、を更に備え、前記記録媒体搬送機能手段は、前記算出手段が算出した結果を基に、排除すべき記録媒体として前記記録媒体収容手段に積載されている記録媒体の中の最上位の記録媒体から順に前記排除記録媒体収納手段に向けて搬送する、ことを特徴とする。
【００１９】
請求項１０に記載の発明は、上記請求項６に記載の発明において、前記排除すべき記録媒体の数を設定する設定手段、を更に備え、前記記録媒体搬送機能手段は、前記設定手段によって設定された設定情報を基に、排除すべき記録媒体として前記記録媒体収容手段に積載されている記録媒体の中の最上位の記録媒体から順に前記排除記録媒体収納手段に向けて搬送する、ことを特徴とする。
【００２０】
請求項１１に記載の発明は、上記請求項６〜１０のいずれか一項に記載の発明において、前記記録媒体搬送機能部は、前記排除すべき記録媒体を前記排除記録媒体収納手段に向けて搬送する機構の一部と、前記記録媒体収容手段に積載されている記録媒体を前記画像形成手段に向けて供給する機構の一部とが共通である、ことを特徴とする。
【００２１】
請求項１２に記載の発明は、上記請求項６〜１１のいずれか一項に記載の発明において、前記排除記録媒体収納手段に収納されている記録媒体に含まれている水分を除去する除湿機構および吸湿機構の少なくとも一方の機構、を更に備えたことを特徴とする。
【発明の効果】
【００２２】
請求項１記載の発明によれば、吸湿した記録媒体を排除し、画像形成の結果に不具合を与えない記録媒体を画像形成装置本体に向けて供給することができる。
【００２３】
請求項２記載の発明によれば、画像形成装置本体による画像形成処理が実施されていない状態が所定の時間を経過した時点で当該画像形成処理が実施されるときは、記録媒体収容手段に積載されている少なくとも最上位の記録媒体を吸湿した記録媒体として排除することができる。
【００２４】
請求項３記載の発明によれば、記録媒体収容手段の周囲の温度および湿度の２つの環境特性の少なくとも一方の環境特性、および前記画像形成手段の画像形成処理を実施していない状態から当該画像形成処理を再開するまでの時間の両方または一方に基づき決定される排除すべき記録媒体の数に応じて、記録媒体収容手段に積載されている記録媒体の中の最上位の記録媒体から順に排除することができる。
【００２５】
請求項４記載の発明によれば、本構成を有しない場合と比較して、記録媒体供給装置の小型化を図ることができる。
【００２６】
請求項５記載の発明によれば、吸湿した記録媒体を再利用することができる。
【００２７】
請求項６記載の発明によれば、記録媒体が吸湿した場合であっても、画像形成の結果の不具合を抑制し高品質の画像を得ることができる。
【００２８】
請求項７記載の発明によれば、画像形成手段の画像形成処理を実施していない状態から当該画像形成処理を再開するまでの時間が所定の時間を超えているときは、記録媒体収容手段に積載されている少なくとも最上位の記録媒体を排除することができる。
【００２９】
請求項８記載の発明によれば、記録媒体収容手段の周囲の温度および湿度の２つの環境特性の少なくとも一方の環境特性に基づき決定される排除すべき記録媒体の数に応じて、記録媒体収容手段に積載されている記録媒体の中の最上位の記録媒体から順に排除することができる。
【００３０】
請求項９記載の発明によれば、記録媒体収容手段の周囲の温度および湿度の２つの環境特性の少なくとも一方の環境特性、および画像形成手段の画像形成処理を実施していない状態から当該画像形成処理を再開するまでの時間の両方または一方に基づき決定される排除すべき記録媒体の数に応じて、記録媒体収容手段に積載されている記録媒体の中の最上位の記録媒体から順に排除することができる。
【００３１】
請求項１０記載の発明によれば、設定手段によって設定された排除すべき記録媒体の数に応じて、記録媒体収容手段に積載されている記録媒体の中の最上位の記録媒体から順に排除することができる。
【００３２】
請求項１１記載の発明によれば、本構成を有しない場合と比較して、画像形成装置の小型化を図ることができる。
【００３３】
請求項１２記載の発明によれば、吸湿した記録媒体を再利用することができる。
【発明を実施するための最良の形態】
【００３４】
以下、本発明の実施の形態を図面に基づいて詳細に説明する。なお、実施の形態を説明するための図面において同一の構成要素には原則として同一の符号を付し、その繰り返しの説明は省略する。
【００３５】
（実施の形態１）
【００３６】
図１は、実施の形態１に係る画像形成装置の構成を示している。
【００３７】
図１に示すように、画像形成装置１は、画像形成装置本体２と、記録媒体搬送にかかわる制御（記録媒体搬送制御）を実施する制御系３と、を有している。
【００３８】
画像形成装置本体２は、電子写真プロセスによる画像形成を実施する画像形成部１０と、記録媒体（例えば用紙）を収容し、この記録媒体を画像形成部１００に向けて供給する記録媒体供給部２０と、を備えている。
【００３９】
なお、電子写真プロセスには、周知のように、帯電プロセス、露光プロセス、現像プロセス、転写プロセス、定着プロセス、およびクリーニングプロセスが含まれている。
【００４０】
画像形成部１０は、上記画像形成手段の機能を有し、感光体１１、帯電装置１２、露光装置１３、現像装置１４、転写装置１５、定着装置１６、およびクリーニング装置１７を備えている。
【００４１】
感光体１１は、像保持体（像担持体）として機能するものであり、図示しない駆動モータによって所定の方向に回転駆動される。
【００４２】
帯電装置１２は、感光体１１の表面を所定の極性の電位に帯電させる帯電手段（帯電プロセスを実行する手段）の機能を有している。
【００４３】
露光装置１３は、帯電された感光体１１に向けて画像データに対応する露光光を照射する露光手段（露光プロセスを実行する手段）の機能を有している。
【００４４】
現像装置１４は、感光体１１に形成された静電潜像に現像剤（トナー）を与えて現像する現像手段（現像プロセスを実行する手段）の機能を有している。
【００４５】
転写装置１５は、感光体１１に形成されたトナー像を記録媒体供給部２０から供給される記録媒体（例えば用紙）に転写させる転写手段（転写プロセスを実行する手段）の機能を有している。この転写装置１５には、感光体１１と対向して、該感光体１１に形成されたトナー像を記録媒体に転写させる転写ローラ１５ａが配設されている。
【００４６】
定着装置１６は、トナー像が転写された記録媒体に対し熱および圧力を与えてトナー像を定着させる定着手段（定着プロセスを実行する手段）の機能を有している。この定着装置１６は、内部にヒータなど加熱手段を有するヒートローラ１６ａと、該ヒートローラ１６ａに対向して配置されるプレッシャーローラ（圧力ローラ）１６ｂとを備えている。ヒートローラ１６ａとプレッシャーローラ１６ｂとは、搬送されてきた記録媒体を挟み込んで加熱することによりトナー像を定着させる。
【００４７】
クリーニング装置１７は、感光体１１の周面上の残留トナーを除去するクリーニング手段（クリーニングプロセスを実行する手段）の機能を有している。
【００４８】
記録媒体供給部２０は、図１および図２に示すように、記録媒体Ｐが積載される記録媒体収容手段の機能を有する記録媒体収容部２１０と、記録媒体収容部（記録媒体収容手段）２１０から搬送される記録媒体を収納する排除記録媒体収納手段の機能を有する排除記録媒体収納部２２０とを備えている。
【００４９】
また、記録媒体としては、普通紙、アート紙、コート紙などが挙げられる。
【００５０】
なお、記録媒体収容部（記録媒体収容手段）２１０および排除記録媒体収納部（排除記録媒体収納手段）２２０は、それぞれ画像形成装置本体２に着脱自在に装着されるようになっている。
【００５１】
記録媒体収容部２１０は、積載されている記録媒体（例えば用紙）Ｐのうち最上位の記録媒体を送り出す送り出しローラ２１１を備えている。
【００５２】
送り出しローラ２１１の搬送方向の下流側には、送り出しローラ２１１によって送り出された記録媒体を画像形成部１０に向けて搬送する一対の給紙ローラ２１２が配設されている。一対の給紙ローラ２１２の搬送方向の下流側には、さらに搬送される記録媒体を画像形成部１０に向けて搬送する一対の搬送ローラ２１３，２１４が配設されている。
【００５３】
すなわち、記録媒体収容部２１０に収容されている記録媒体は、搬送路２１５ａ、搬送路２１５ｂおよび搬送路２１５ｃで形成される搬送路２１５を経由して画像形成部１０に供給される。
【００５４】
なお、一対の搬送ローラ２１３は、記録媒体搬送制御部３１０の制御によって、図３に示すように、画像形成部１０に向けて搬送される記録媒体を把持し、その後、記録媒体を画像形成部１０に向けて搬送するべく回転方向とは反対方向に回転駆動されることで、把持している記録媒体を排除記録媒体収納部２２０に向けて搬送する。このようにして搬送される記録媒体は、搬送路２１５ｂおよび搬送路２１６を経由して一対の排除ローラ２１７によって排除記録媒体収納部２２０の内部に搬送される。
【００５５】
排除記録媒体収納部２２０は、記録媒体収容部２１０の下方側に位置し、所定の角度をもって配設されている案内板２２１を備えている。この案内板２２１は、一対の排除ローラ２１７から搬送される記録媒体を当該排除記録媒体収納部２２０の内部へ案内する。
【００５６】
制御系３は、図１に示すように、記録媒体搬送制御部３１０とタイマ３２０とを有している。
【００５７】
タイマ３２０は、画像形成部（画像形成手段）１０の画像形成処理を実施していない状態から当該画像形成処理を再開するまでの時間を計時する計時手段を有している。タイマ３２０は、画像形成装置本体２に設けられている上位の制御手段（図示せず）から出力された今回の画像形成処理の終了通知を受け取った時点から、前記上位の制御手段（図示せず）から出力される次回の画像形成処理の再開通知を受け取るまでの時間を計時する。
【００５８】
記録媒体搬送制御部３１０は、吸湿した記録媒体を排除する制御機能つまり吸湿記録媒体搬送制御機能３１０ａと、正常な記録媒体を画像形成部１０へ供給する制御機能つまり正常記録媒体搬送制御機能３１０ｂとを有している。
【００５９】
記録媒体搬送制御部３１０は、吸湿記録媒体搬送制御機能３１０ａにより、画像形成部（画像形成手段）１０が画像形成処理を再開する場合に、タイマ（計時手段）３２０による計時の結果が予め設定される所定の時間を超えているときは、記録媒体収容部（記録媒体収容手段）２１０に積載されている少なくとも最上位の記録媒体を排除すべき記録媒体として排除記録媒体収納部（排除記録媒体収納手段）２２０に向けて搬送する制御を行う。
【００６０】
実施の形態１では、排除すべき記録媒体を排除記録媒体収納部２２０に向けて搬送する機構（以下「排除記録媒体搬送機構」という。）は、送り出しローラ２１１、一対の給紙ローラ２１２、一対の搬送ローラ２１３、一対の排除ローラ２１７、搬送路２１５ａ、２１５ｂおよび搬送路２１６と、送り出しローラ２１１、一対の給紙ローラ２１２、一対の搬送ローラ２１３および一対の排除ローラ２１７のそれぞれを回転駆動するモータなどの複数の駆動部（図示せず）とを含んでいる。
【００６１】
一方、記録媒体収容部２１０に積載されている記録媒体を画像形成部１０に向けて供給する機構「以下「正常記録媒体搬送機構」という。）は、送り出しローラ２１１、一対の給紙ローラ２１２、一対の搬送ローラ２１３，２１４、搬送路２１５（搬送路２１５ａ，２１５ｂ，２１５ｃ）と、送り出しローラ２１１、一対の給紙ローラ２１２および一対の搬送ローラ２１３，２１４のそれぞれを回転駆動するモータなどの複数の駆動部（図示せず）とを含んでいる。
【００６２】
そのため、上記排除記録媒体搬送機構と上記正常記録媒体搬送機構とは、送り出しローラ２１１、一対の給紙ローラ２１２、一対の搬送ローラ２１３、搬送路２１５ａおよび搬送路２１５ｂと、送り出しローラ２１１、一対の給紙ローラ２１２および一対の搬送ローラ２１３のそれぞれを回転駆動する複数の駆動部（図示せず）とが共通している。
【００６３】
また、実施の形態１では、上記排除記録媒体搬送機構と記憶媒体搬送制御部３１０（の吸湿記録媒体搬送制御機能３１０ａ）とで上記記録媒体搬送機能手段の機能を果たすようになっている。
【００６４】
すなわち、上記排除記録媒体搬送機構と記憶媒体搬送制御部３１０とが協働することで、画像形成部１０に対し記録媒体収納部２１０に積載されている記録媒体を供給する場合に、当該記録媒体を供給するタイミングに応じて、記録媒体収容部２１０に積載されている少なくとも最上位の記録媒体を排除すべき記録媒体として排除記録媒体収納部２２０に向けて搬送する。
【００６５】
次に、画像形成装置１の記録媒体の排除処理について、図４を参照して説明する。
【００６６】
図４は、その排除処理の処理手順を示すフローチャートである。
【００６７】
ユーザによって印刷（プリント）あるいは複写（コピー）などの画像形成すべき旨の操作が行われると、画像形成装置本体２に設けられている上位の制御手段（図示せず）は、記録媒体を供給するべき旨の指示（以下「記録媒体供給指示」という。）を記録媒体搬送制御部３１０へ通知するとともに、今回の画像形成処理の再開通知をタイマ３２０へ通知する。
【００６８】
今回の画像形成処理の再開通知を受け取ったタイマ３２０は、画像形成装置本体２に設けられている上位の制御手段（図示せず）から出力された前回の画像形成処理の終了通知を受け取った時点から、今回の画像形成処理の再開通知を受け取るまでの時間を計時し、この計時した時間（計時時間）を記録媒体搬送制御部３１０へ通知する。
【００６９】
ここで、前回の画像形成処理の終了通知を受け取った時点からタイマ３２０によって計時されたタイマ時間（計時時間）が経過した時点が、記録媒体を供給するタイミングということになる。
【００７０】
さて、記録媒体搬送制御部３１０は、図４に示すように、上位の制御手段から通知される記録媒体供給指示を取得するとともに（ステップＳ１０１）、タイマ３２０から通知されるタイマ時間（計時時間）を取得すると（ステップＳ１０２）、このタイマ時間と予め設定される所定の時間とを比較し（ステップＳ１０３）、タイマ時間は所定の時間を超えているか否かを判断する（ステップＳ１０４）。
【００７１】
記録媒体搬送制御部３１０は、ステップＳ１０４においてタイマ時間が所定の時間を超えていると判断した場合は、記録媒体収容部２１０に積載されている最上位の記録媒体を排除すべき記録媒体として排除記録媒体収納部２２０に向けて搬送する制御を行う（ステップＳ１０５）。このステップＳ１０５においては、画像形成処理が予め設定される所定の時間を超えて実施されなかったことに起因して吸湿した記録媒体を画像形成部１０に向けて供給せずに排除する処理を実施していることになる。
【００７２】
なお、実施の形態１において、記録媒体収容部２１０に積載されている最上位の記録媒体を排除すべき記録媒体として排除記録媒体収納部２２０に向けて搬送するとは、単数の記録媒体を搬送する場合には、最上位（１枚目）の記録媒体であり、複数の記録媒体を搬送する場合は、最上位（１枚目）の記録媒体、２枚目以降の記録媒体つまり最終的に最上位となる記録媒体）である。
【００７３】
記録媒体搬送制御部３１０は、搬送した記録媒体の数は予め設定される数に達したか否かを判断し（ステップＳ１０６）、この判断した結果、搬送した記録媒体の数が予め設定される数に達しない場合にはステップＳ１０５に戻り、一方、搬送した記録媒体の数が予め設定される数に達した場合は画像形成部１０への記録媒体の供給処理を実施し（ステップＳ１０７）、その後、この処理を終了する。
【００７４】
ステップＳ１０４においてタイマ時間が所定の時間以下であると判断された場合は、ステップＳ１０７に進む。
【００７５】
ステップＳ１０５においては、記録媒体搬送制御部３１０は、排除記録媒体搬送制御機能３１０ａの実施により、送り出しローラ２１１、一対の給紙ローラ２１２、および一対の搬送ローラ２１３のそれぞれを回転駆動する複数の駆動部（図示せず）に対し、記録媒体が画像形成部１０に向けて搬送される方向に回転するように制御する。
【００７６】
これにより、送り出しローラ２１１が、記録媒体収容部２１０に積載されている最上位の記録媒体を送り出すと、一対の給紙ローラ２１２が、その送り出されてきた記録媒体を一対の搬送ローラ２１３（画像形成部１０側）に向けて搬送する。
【００７７】
給紙ローラ２１２からの記録媒体を一対の搬送ローラ２１３が把持したタイミングで、記録媒体搬送制御部３１０は、排除記録媒体搬送制御機能３１０ａの実施により、一対の搬送ローラ２１３を回転駆動する駆動部（図示せず）に対し、その一対の搬送ローラ２１３の回転を一旦停止させた後、その一対の搬送ローラ２１３を、把持されている記録媒体が排除記録媒体収納部２２０に向けて搬送される方向に回転するように制御するとともに、一対の排除ローラ２１７を回転駆動する駆動部（図示せず）に対し、搬送されてくる記録媒体が排除記録媒体収納部２２０に向けて搬送される方向に回転するように制御する。
【００７８】
上述した制御により、回転する一対の搬送ローラ２１３が、把持している記録媒体を排除記録媒体収納部２２０に向けて搬送すると、その記録媒体は、搬送路２１５ｂおよび搬送路２１６を経由して一対の排除ローラ２１７に到達する（図３参照）。
【００７９】
そして、この一対の排除ローラ２７が搬送されてきた記録媒体を把持しながら回転することにより、その記録媒体は、排除記録媒体収納部２２０内の案内板２２１に当たり、さらに排除記録媒体収納部２２０の内部に案内される（図３参照）。
【００８０】
また、記録媒体搬送制御部３１０は、排除記録媒体搬送制御機能３１０ａの実施により、搬送した記録媒体の数がめ設定される数に達したと判断したときは、正常記録媒体搬送制御機能３１０ｂを実施する。
【００８１】
ステップＳ１０７においては、記録媒体搬送制御部３１０は、正常記録媒体搬送制御機能３１０ｂの実施により、送り出しローラ２１１、一対の給紙ローラ２１２、および一対の搬送ローラ２１３，２１４のそれぞれを回転駆動する複数の駆動部（図示せず）に対し、記録媒体が画像形成部１０に向けて搬送される方向に回転するように制御する。
【００８２】
これにより、送り出しローラ２１１が、記録媒体収容部２１０に積載されている記録媒体を送り出すと、一対の給紙ローラ２１２が、その送り出されてきた記録媒体を一対の搬送ローラ２１３に向けて搬送する。そして、その記録媒体は、一対の搬送ローラ２１３および一対の搬送ローラ２１４によって画像形成部１０に向けて搬送される（図２参照）。
【００８３】
以上説明したように、実施の形態１によれば、記録媒体が吸湿した場合であっても、画像形成の結果の不具合を抑制し高品質の画像を得ることができる。
【００８４】
すなわち実施の形態１によれば、画像形成手段の画像形成処理を実施していない状態が所定の時間を経過し、その後、当該画像形成処理が実施される場合であっても、記録媒体収容部に収容されている記録媒体の中の吸湿している記録媒体、例えば最上位の記録媒体を含む所定の記録媒体を排除することができ、ジャムの発生、転写不良、定着不良など、記録媒体が吸湿したことに起因する画像形成の結果の不具合を抑制し、高品質の画像を得ることができる。
【００８５】
（実施の形態２）
【００８６】
図５は、実施の形態２に係る画像形成装置の構成を示している。
【００８７】
図５に示す画像形成装置１は、図１に示した実施の形態１の画像形成装置１の構成において、操作パネル３３０、温湿度センサ３４０および算出部３５０を追加した構成になっている。なお、図５において、図１に示した構成要素と同様の機能を果たす部分には同一の符号を付している。
【００８８】
実施の形態２において、タイマ３２０は、画像形成装置本体２に設けられている上位の制御手段（図示せず）から出力された今回の画像形成処理の終了通知を受け取った時点から、前記上位の制御手段（図示せず）から出力される次回の画像形成処理の再開通知を受け取るまでの時間、つまり計時時間を記録媒体搬送制御部３１０および算出部３５０へ出力するようになっている。
【００８９】
操作パネル３３０は、所定の入力情報を入力する入力部の機能と、所定の表示情報を表示する表示部の機能とを有している。この操作パネル３３０は、排除すべき記録媒体の数（以下「排除記録媒体数」という。）を設定する設定手段の機能も有している。この排除記録媒体数を示す情報は記録媒体搬送制御部３１０に与えられる。
【００９０】
温湿度センサ３４０は、記録媒体収容部（録媒体収容手段）２１０の周囲の温度および湿度の２つの環境特性の少なくとも一方の環環境特性を検出する検出手段の機能を有し、その検出結果を算出部３５０へ出力する。
【００９１】
算出部３５０は、温湿度センサ（検出手段）３４０が検出した環境特性値を基に排除記録媒体数（排除すべき記録媒体の数）を算出する第１の算出手段の機能と、タイマ（計時手段）３２０が計時した結果および温湿度センサ３４０が検出した環境特性値の少なくとも一方の情報を基に排除記録媒体数（排除すべき記録媒体の数）を算出する第２の算出手段の機能とを有している。そして、算出部３５０は、第１の算出手段の機能または第２の算出手段の機能によって算出した結果（排除記録媒体数）を記録媒体搬送制御部３１０へ出力する。
【００９２】
実施の形態２では、上記排除記録媒体搬送機構と記憶媒体搬送制御部３１０（の吸湿記録媒体搬送制御機能３１０ａ）とが協働することで実現される上記記録媒体搬送機能手段の機能は、次の（１）〜（３）の機能を含んでいる。
【００９３】
（１）算出部（算出手段）３５０が第１の算出手段の機能により算出した結果（排除記録媒体数）を基に、排除すべき記録媒体として記録媒体収容部（記録媒体収容手段）２１０に積載されている記録媒体の中の最上位の記録媒体から順に排除記録媒体収納部（排除記録媒体収納手段）２２０に向けて搬送する。
【００９４】
（２）算出部（算出手段）３５０が第２の算出手段の機能により算出した結果（排除記録媒体数）を基に、排除すべき記録媒体として記録媒体収容部（記録媒体収容手段）２１０に積載されている記録媒体の中の最上位の記録媒体から順に排除記録媒体収納部（排除記録媒体収納手段）２２０に向けて搬送する。
【００９５】
（３）操作パネル（設定手段）３３０によって設定された設定情報（排除記録媒体数）を基に、排除すべき記録媒体として記録媒体収容部（記録媒体収容手段）２１０に積載されている記録媒体の中の最上位の記録媒体から順に排除記録媒体収納部（排除記録媒体収納手段）２２０に向けて搬送する。
【００９６】
実施の形態２においては、操作パネル３３０によって排除記録媒体数が設定された場合には、算出部３５０による排除記録媒体数の算出は実施されないようになっている。一方、操作パネル３３０によって排除記録媒体数が設定されなかった場合は、算出部３５０によって排除記録媒体数の算出が実施されるようになっている。
【００９７】
次に、画像形成装置１の記録媒体の排除処理について、図６を参照して説明する。
【００９８】
図６は、その排除処理の処理手順を示すフローチャートである。このフローチャートは、図４に示した実施の形態１の処理手順においてステップＳ２０１およびステップＳ２０２を追加した処理手順になっている。
【００９９】
記録媒体搬送制御部３１０が、実施の形態１の場合と同様にステップＳ１０１からステップＳ１０４を実施し（図６参照）、このステップＳ１０４においてタイマ時間が所定の時間を超えていると判断した場合は、算出部３５０に対し排除記録媒体数の算出を依頼する。
【０１００】
その依頼を受けた算出部２５０は、図６に示すように、温湿度センサ３４０から環境特性値（温度値および湿度値）を取得するとともに（ステップＳ２０１）、この取得した環境特性値つまり温度値および湿度値の両方または一方の環境特性値、およびタイマ３２０からの計時時間（タイマ時間）の少なくとも一方の情報（環境特性値および計時時間の両方または一方）を基に排除記録媒体数（排除すべき記録媒体の数）を算出（ステップＳ２０２）し、この算出した結果を記録媒体搬送制御部３１０へ通知する。
【０１０１】
ここで、算出部３５０によって算出される排除記録媒体数は、記録媒体が吸湿したことに起因する画像形成の結果の不具合が、抑制される状態、またはその不具合が発生しない状態となるように、吸湿した記録媒体が排除されるべく、記録媒体の数となる。
【０１０２】
算出部３５０からの排除記録媒体数を受け取った記録媒体搬送制御部３１０は、実施の形態１の場合と同様にステップＳ１０５からステップＳ１０７を実施する。
【０１０３】
なお、ステップＳ１０６においては、予め設定される数は排除記録媒体数に置換されて処理される。
【０１０４】
続いて、画像形成装置１の記録媒体の他の排除処理について、図７を参照して説明する。
【０１０５】
図７は、その排除処理の処理手順を示すフローチャートである。このフローチャートは、図４に示した実施の形態１の処理手順においてステップＳ３０１およびステップＳ３０２を追加した処理手順になっている。
【０１０６】
記録媒体搬送制御部３１０が、実施の形態１の場合と同様にステップＳ１０１からステップＳ１０４を実施し（図７参照）、このステップＳ１０４においてタイマ時間が所定の時間を超えていると判断した場合は、図７に示すように、操作パネル３３０を通じて、ユーザに対し、排除記録媒体数の設定要求を行う（ステップＳ３０１）。ユーザが、操作パネル３３０を操作して所望の排除記録媒体数を入力すると、この排除記録媒体数を示す情報は記録媒体搬送制御部３１０に与えられる。
【０１０７】
記録媒体搬送制御部３１０は、操作パネル３３０からの排除記録媒体数を取得した場合（ステップＳ３０２）、実施の形態１の場合と同様にステップＳ１０５からステップＳ１０７を実施する。
【０１０８】
なお、ステップＳ１０６においては、予め設定される数は排除記録媒体数に置換されて処理される。
【０１０９】
なお、実施の形態２において、算出部３５０は、タイマ（計時手段）３２０が計時した結果および温湿度センサ３４０が検出した環境特性値の少なくとも一方の情報を基に排除記録媒体数（排除すべき記録媒体の数）を算出するようにしているが、これに限定されることなく、これらの情報に加えて、記録媒体の種類、例えば記録媒体が用紙の場合では紙質も考慮して排除記録媒体数を算出するようにしてもよい。
【０１１０】
この場合、吸湿し易い用紙の場合では、吸湿し難い用紙の場合と比較して、排除記録媒体数を多くするようにする。
【０１１１】
以上説明したように、実施の形態２によれば、上述した実施の形態１の作用効果を期待することができる。
【０１１２】
また、実施の形態２によれば、画像形成手段の画像形成処理を実施していない状態から当該画像形成処理を再開するまでの時間、および記録媒体収容部の周囲の温度や湿度など環境特性の両方または一方の情報に基づき算出される排除記録媒体数に応じた記録媒体については排除することができるので、実施の形態１の場合と比較して、記録媒体が吸湿した場合であっても、確実に、画像形成の結果の不具合を抑制し高品質の画像を得ることができる。
【０１１３】
さらに実施の形態２によれば、ユーザは、所望する高品質の画像を得るための吸湿した記録媒体を排除すべき数の過去の経験に基づき排除記録媒体数を設定することができるので、ユーザの所望する高品質の画像を得ることができる。
【０１１４】
（実施の形態３）
【０１１５】
図８は、実施の形態３に係る画像形成装置の要部構成を示している。
【０１１６】
図８に示す画像形成装置は、図１に示した実施の形態１または実施の形態２の画像形成装置の構成において、一対の排除ローラ２１７を削除し、記録媒体収容部２１０および排除記録媒体収納部２２０を記録媒体収容部４１０および排除記録媒体収納部４２０に変更した構成になっている。
【０１１７】
記録媒体収容部４１０は、積載されている記録媒体（例えば用紙）Ｐのうち最上位の記録媒体を送り出す送り出しローラ２１１と、積載されている記録媒体（例えば用紙）Ｐのうち最上位の記録媒体を送り出す送り出しローラ４１１とを備えている。
【０１１８】
送り出しローラ２１１は、記録媒体搬送制御部３１０の制御の下、正常な記録媒体を画像形成部１０に向けて搬送する場合に当該記録媒体を送り出す動作を行う。送り出しローラ４１１は、記録媒体搬送制御部３１０の制御の下、吸湿した記録媒体を吸湿記録媒体収納部４２０に向けて搬送する場合に当該記録媒体を送り出す動作を行う。そのため、送り出しローラ２１１と送り出しローラ４１１の回転方向は互いに反対になっている。
【０１１９】
送り出しローラ４１１の搬送方向の下流側には、送り出された記録媒体を吸湿記録媒体収納部４２０の内部へ搬送するための搬送ローラ４１２，４１３が配設されている。
【０１２０】
排除記録媒体収納部４２０は、記録媒体収容部４１０の下方側に位置し、所定の角度をもって配設されている案内板４２１を備えている。この案内板４２１は、排除ローラ４２３から搬送される記録媒体を当該排除記録媒体収納部４２０の内部へ案内する。
【０１２１】
記録媒体搬送制御部３１０は、画像形成装置本体２に設けられている上位の制御手段（図示せず）から通知される記録媒体供給指示を受け取ると、タイマ３３０からのタイマ時間と予め設定される所定の時間とを比較し、タイマ時間が所定の時間を超えていると判断した場合は、送り出しローラ４１１および搬送ローラ４１２，４１３のそれぞれを回転駆動する駆動部（図示せず）に対し、予め設定される数または算出部３５０によって算出された排除記録媒体数に応じて、記録媒体収容部４１０に積載されている最上位の記録媒体を排除記録媒体収納部４２０へ搬送するように制御する。
【０１２２】
これにより、記録媒体収容部４１０に積載されている最上位の記録媒体は、送り出しローラ４１１によって送り出され、搬送ローラ４１２，４１３によって搬送されることにより案内板４２１に当たり、さらに排除記録媒体収納部４２０の内部に案内される（図８参照）。
【０１２３】
以上説明したように、実施の形態３によれば、上述した実施の形態１または実施の形態２の作用効果を期待することができる。
【０１２４】
（実施の形態４）
【０１２５】
図９は、実施の形態４に係る画像形成装置の要部構成を示している。
【０１２６】
図９に示す画像形成装置は、図８に示した実施の形態３の画像形成装置の構成において、一対の排除ローラ５１０を追加し、排除記録媒体収納部４２０を排除記録媒体収納部５２０に変更した構成になっている。
【０１２７】
一対の排除ローラ５１０は、上記一対の排除ローラ２１７（図３参照）と同様の機能を果たすものである。
【０１２８】
排除記録媒体収納部５２０は、上記案内板４２１（図８参照）と同様の機能を果たす案内板５２１と、上記案内板２２１（図３参照）と同様の機能を果たす案内板５２２とを備えている。
【０１２９】
案内板５２１および案内板５２２は、それぞれ搬送ローラ４１３および排除ローラ５１０から搬送される記録媒体を排除記録媒体収納部５２０の内部へ案内する。
【０１３０】
記録媒体搬送制御部３１０は、画像形成装置本体２に設けられている上位の制御手段（図示せず）から通知される記録媒体供給指示を受け取ると、タイマ３３０からのタイマ時間と予め設定される所定の時間とを比較し、タイマ時間が所定の時間を超えていると判断した場合は、送り出しローラ４１１および搬送ローラ４１２，４１３のそれぞれを回転駆動する駆動部（図示せず）、または送り出しローラ２１１、一対の給紙ローラ２１２、一対の搬送ローラ２１３、および一対の排除ローラ５１０のそれぞれを回転駆動する駆動部（図示せず）に対し、予め設定される数または算出部３５０によって算出された排除記録媒体数に応じて、記録媒体収容部４１０に積載されている最上位の記録媒体を排除記録媒体収納部５２０へ搬送するように制御する。
【０１３１】
これにより、実施の形態１あるいは実施の形態２、または実施の形態３の場合と同様にして、録媒体収容部４１０に積載されている最上位の記録媒体（吸湿した記録媒体）は、排除記録媒体収納部５２０の内部に収納される。
【０１３２】
以上説明したように、実施の形態４によれば、上述した実施の形態１または実施の形態２の作用効果を期待することができる。
【０１３３】
（実施の形態５）
【０１３４】
図１０は、実施の形態５に係る画像形成装置の構成を示している。
【０１３５】
図１０に示すように、画像形成装置５は、画像形成装置本体５１０と、画像形成装置本体５１０へ記録媒体を供給する記録媒体供給装置５２０と、を備えている。
【０１３６】
画像形成装置本体５１０は、図１に示した実施の形態１の画像形成部１０、記録媒体搬送制御部３１０、タイマ３２０、および一対の搬送ローラ２１４を備えている。
【０１３７】
記録媒体供給装置５２０は、図１に示した実施の形態１の記録媒体供給部２０つまり記録媒体収容部２１０および排除記録媒体収納部２２０、送り出しローラ２１１、一対の給紙ローラ２１２、一対の搬送ローラ２１３、搬送路２１５，２１６、および一対の排除ローラ２１７を備えている。
【０１３８】
実施の形態５の画像形成装置５は、実施の形態１の画像形成装置１と同様の処理を実施する。ここでは、その詳細な説明については省略する。
【０１３９】
また、実施の形態５において、画像形成装置５の記録媒体供給装置５２０の記録媒体収容部２１０の周囲に図５に示した実施の形態２の温湿度センサ３４０を配設するとともに、画像形成装置５の画像形成装置本体５１０は、図５に示した実施の形態２の操作パネル３３０および算出部３５０を備えるようにしてもよい。この場合、画像形成装置５は、実施の形態２の画像形成装置１と同様の処理を実施することになる。ここでは、その詳細な説明については省略する。
【０１４０】
さらに実施の形態５において、画像形成装置５の記録媒体供給装置５２０の記録媒体収容部２１０および排除記録媒体収納部２２０を、図８に示した実施の形態３の記録媒体収容部４１０および排除記録媒体収納部４２０、または図９に示した実施の形態４の記録媒体収容部４１０および排除記録媒体収納部５２０に変更するようにしてもよい。
【０１４１】
以上説明したように、実施の形態５によれば、記録媒体供給装置は、吸湿した記録媒体を排除し、画像形成の結果に不具合を与えない記録媒体を画像形成装置本体に向けて供給することができる。
【０１４２】
ところで、実施の形態１から実施の形態５において、排除記録媒体収納部（排除記録媒体収納手段）の内部に、そこに収納されている記録媒体に含まれている水分を除去する除湿機構および吸湿機構の少なくとも一方の機構を設けるようにしてもよい。
【０１４３】
例えば、図１１（ａ）に示す排除記録媒体収納部２１０、あるいは図１１（ｂ）に示す排除記録媒体収納部４２０に示すように、排除記録媒体収納部の底面の上に除湿機構としてのシート状のヒータ６１０を載置し、その上に吸湿機構としての吸湿シート６２０を載置するようにする。
【０１４４】
そのため、吸湿した記録媒体が吸湿シート６２０に載置された場合、その記録媒体の水分（湿気）は吸湿シート６２０により吸い取られ、さらにその吸湿シート６２０が吸湿した水分（湿気）は通電されたヒータ６１０が発熱することにより除去される。
【０１４５】
これにより、排除記録媒体収納部２１０あるいは排除記録媒体収納部４２０に収納されている記録媒体を再利用することができる。
【産業上の利用可能性】
【０１４６】
本発明は、モノクロ画像あるいはカラー画像の少なくとも一方の画像を画像形成する画像形成装置、その画像形成装置に記録媒体を供給する記録媒体供給装置に適用することができる。
【図面の簡単な説明】
【０１４７】
【図１】実施の形態１に係る画像形成装置の構成を示す構成図である。
【図２】実施の形態１に係る画像形成装置の正常記録媒体搬送制御を説明する図である。
【図３】実施の形態１に係る画像形成装置の吸湿記録媒体搬送制御を説明する図である。
【図４】実施の形態１に係る画像形成装置による記録媒体の排除処理の処理手順を示すフローチャートである。
【図５】実施の形態２に係る画像形成装置の構成を示す構成図である。
【図６】実施の形態２に係る画像形成装置による記録媒体の排除処理の処理手順を示すフローチャートである。
【図７】実施の形態２に係る画像形成装置による記録媒体の他の排除処理の処理手順を示すフローチャートである。
【図８】実施の形態３に係る画像形成装置の要部構成を示す構成図である。
【図９】実施の形態４に係る画像形成装置の要部構成を示す構成図である。
【図１０】実施の形態５に係る画像形成装置の構成を示す構成図である。
【図１１】実施の形態１から実施の形態５に係る排除記録媒体収納部の応用例を示す図である。
【符号の説明】
【０１４８】
１，５  画像形成装置
２，５１０  画像形成装置本体
３  制御系
１０  画像形成部
２０  記録媒体供給部
２１０，４１０  記録媒体供給部
２１１  送り出しローラ
２１２  給紙ローラ
２１３，２１４  搬送ローラ
２１５，２１６  搬送路
２１７  排除ローラ
２２０，４２０，５２０  排除記録媒体収納部
３１０  記録媒体搬送制御部
３２０  タイマ
３３０  操作パネル
３４０  温湿度センサ
３５０  算出部
５２０  記録媒体供給装置
６１０  シート状のヒータ
６２０  防湿シート
【図１】
2009223160.tif 000003
【図２】
2009223160.tif 000004
【図３】
2009223160.tif 000005
【図４】
2009223160.tif 000006
【図５】
2009223160.tif 000007
【図６】
2009223160.tif 000008
【図７】
2009223160.tif 000009
【図８】
2009223160.tif 000010
【図９】
2009223160.tif 000011
【図１０】
2009223160.tif 000012
【図１１】
2009223160.tif 000013